(57)【要約】【課題】  再送した信号の再度の誤りを低減する。【解決手段】  ＩＦ部２６、変復調部２４、処理部２２、無線部２０は、複数のアンテナ１２から、データ系列をそれぞれ送信する。無線部２０、処理部２２、変復調部２４、ＩＦ部２６は、再送要求を受信し、制御部３０は、記憶部６２に記憶されたデータ系列より、再送要求から特定されたデータ系列を抽出する。制御部３０は、取得した情報をもとに、複数のアンテナ１２のうち、情報に含まれたデータ系列を再送すべきアンテナ１２を選択する。ＩＦ部２６、変復調部２４、処理部２２、無線部２０は、選択した複数のアンテナ１２から、データ系列を再送する。【選択図】  図３
2006165970.tif 000002
【特許請求の範囲】
【請求項１】
受信装置に対して、複数のアンテナから、当該複数のアンテナのそれぞれに対応した信号を送信する送信部と、
前記複数のアンテナのそれぞれに対応した信号のうち、前記受信装置において誤りの発生した信号が存在すれば、当該誤りの発生した信号に対応したアンテナに関する情報を取得する取得部と、
前記取得部において取得した情報をもとに、前記複数のアンテナのうち、前記情報から特定されるアンテナに対応した信号を再送すべきアンテナを選択する選択部とを備え、
前記送信部は、前記選択部において選択したアンテナから、前記誤りの発生した信号を再送することを特徴とする送信装置。
【請求項２】
前記選択部は、前記複数のアンテナのうち、前記情報から特定されるアンテナ以外のアンテナを選択することを特徴とする請求項１に記載の送信装置。
【請求項３】
前記取得部は、複数のアンテナのそれぞれに対応した信号の前記受信装置における信号強度も取得し、
前記選択部は、前記情報から特定されるアンテナの数が所定のしきい値より小さければ、前記情報から特定されるアンテナ以外のアンテナのうち、信号強度の大きい信号に対応したアンテナを優先的に選択することを特徴とする請求項２に記載の送信装置。
【請求項４】
前記送信部は、前記選択部において少なくともふたつのアンテナが選択された場合、選択された少なくともふたつのアンテナから、前記誤りの発生した信号を並列に再送することを特徴とする請求項１から３のいずれかに記載の送信装置。
【請求項５】
前記送信部では、前記情報から特定されるアンテナの数が、前記選択部において選択したアンテナの数よりも多い場合、前記選択部において選択したアンテナから、前記誤りの発生した信号を送信時間をずらしつつ再送することを特徴とする請求項１または２に記載の送信装置。
【請求項６】
前記選択部は、前記情報から特定されるアンテナを選択し、
前記送信部は、前記選択部において選択したアンテナから、前記誤りの発生した信号を再送する際に、前記選択部において選択したアンテナ以外のアンテナからの信号の送信を停止することを特徴とする請求項１に記載の送信装置。
【請求項７】
送信装置における複数のアンテナのそれぞれに対応した信号を受信する受信部と、
前記受信部において受信した信号のうち、誤りの発生した信号が存在すれば、当該誤りの発生した信号に対応すべき送信装置のアンテナを特定する特定部と、
前記特定部において特定したアンテナをもとに、前記複数のアンテナのうち、前記特定部において特定したアンテナに対応した信号を再送すべきアンテナを選択する選択部と、
前記送信装置に対して、前記選択部において選択したアンテナからの再送であって、かつ前記誤りの発生した信号の再送を要求する要求部と、
を備えることを特徴とする受信装置。
【請求項８】
前記選択部は、前記複数のアンテナのうち、前記特定部において特定したアンテナ以外のアンテナを選択することを特徴とする請求項７に記載の受信装置。
【請求項９】
前記複数のアンテナのそれぞれに対応した信号の信号強度を測定する測定部をさらに備え、
前記選択部は、前記特定部において特定したアンテナの数が所定のしきい値より小さければ、前記特定部において特定したアンテナ以外のアンテナのうち、信号強度の大きい信号に対応したアンテナを優先的に選択することを特徴とする請求項８に記載の受信装置。
【請求項１０】
前記要求部は、前記選択部において少なくともふたつのアンテナが選択された場合、選択された少なくともふたつのアンテナからの再送であって、かつ前記誤りの発生した信号の並列による再送を要求することを特徴とする請求項７から９のいずれかに記載の受信装置。
【請求項１１】
前記選択部は、前記特定部において特定したアンテナを選択し、
前記要求部は、前記選択部において選択したアンテナからの再送であって、かつ前記誤りの発生した信号の再送を要求する際に、前記選択部において選択したアンテナ以外のアンテナからの信号の送信の停止も要求することを特徴とする請求項７に記載の受信装置。
【請求項１２】
送信装置の複数のアンテナから受信装置に、当該複数のアンテナのそれぞれに対応した信号を送信した後に、前記複数のアンテナのそれぞれに対応した信号のうち、前記受信装置において誤りが発生した信号が存在すれば、当該誤りが発生した信号に対応すべきアンテナをもとに、前記複数のアンテナのうち、前記誤りが発生した信号を再送すべきアンテナを選択することを特徴とする再送方法。
【発明の詳細な説明】
【技術分野】
【０００１】
本発明は、再送技術に関し、特に複数のアンテナを使用しながら通信を行う再送方法ならびにそれを利用した送信装置および受信装置に関する。
【背景技術】
【０００２】
無線通信において、周波数資源を有効利用するための技術のひとつが、アダプティブアレイアンテナ技術である。アダプティブアレイアンテナ技術は、複数のアンテナのそれぞれにおいて、処理対象の信号の振幅と位相を制御することによって、アンテナの指向性パターンを制御する。このようなアダプティブアレイアンテナ技術を利用して、データレートを高速化するための技術にＭＩＭＯ（Ｍｕｌｔｉｐｌｅ  Ｉｎｐｕｔ  Ｍｕｌｔｉｐｌｅ  Ｏｕｔｐｕｔ）システムがある。当該ＭＩＭＯシステムは、送信装置と受信装置がそれぞれ複数のアンテナを備え、それぞれのアンテナに対応したチャネルを設定する。すなわち、送信装置と受信装置との間の通信に対して、最大アンテナ数までのチャネルを設定することによって、データレートを向上させる（例えば、特許文献１参照。）。
【特許文献１】特開２００３−２４４０４５号公報
【発明の開示】
【発明が解決しようとする課題】
【０００３】
無線通信での送信装置と受信装置間の伝送路において、伝送対象の信号に誤りが発生する場合がある。その際、通信の信頼性を高めるために、一般的に再送技術が使用される。すなわち、受信装置が送信装置によって送信された信号を受信したとき、当該信号が誤っていれば、受信装置は、当該信号の再送を送信装置に要求する。また、ＭＩＭＯシステムの送信装置は、複数のアンテナからそれぞれ異なった信号を送信しているので、受信装置によるそれらの信号の分離が不十分になれば、それらの信号の間に干渉が生じる。一般的に、干渉が生じれば、信号が誤りやすくなる。特に、ＭＩＭＯシステムにおいて、干渉の発生の原因となる信号の分離の不十分さは、送信装置と受信装置との間の無線伝送路特性に起因している場合もある。そのため、送信装置が信号を再送する際に、当該信号を最初に送信したときと同様に送信しても、無線伝送路特性が変動していないかぎり、信号が再び誤りやすくなる。
【０００４】
本発明はこうした状況に鑑みてなされたものであり、その目的は、複数のアンテナを使用して信号を伝送するシステムにおいて、再送した信号の再度の誤りを低減する再送方法ならびにそれを利用した送信装置および受信装置を提供することにある。
【課題を解決するための手段】
【０００５】
上記課題を解決するために、本発明のある態様の送信装置は、受信装置に対して、複数のアンテナから、当該複数のアンテナのそれぞれに対応した信号を送信する送信部と、複数のアンテナのそれぞれに対応した信号のうち、受信装置において誤りの発生した信号が存在すれば、当該誤りの発生した信号に対応したアンテナに関する情報を取得する取得部と、取得部において取得した情報をもとに、複数のアンテナのうち、情報から特定されるアンテナに対応した信号を再送すべきアンテナを選択する選択部とを備える。送信部は、選択部において選択したアンテナから、誤りの発生した信号を再送する。
【０００６】
この態様によると、受信装置から、誤りの発生した信号に対応したアンテナに関する情報を取得し、当該信号にもとづいて、信号を再送する際のアンテナを選択するので、受信装置によって受信されやすくなるようなアンテナを選択でき、再送した信号の再度の誤りを低減できる。
【０００７】
選択部は、複数のアンテナのうち、情報から特定されるアンテナ以外のアンテナを選択してもよい。この場合、誤りの発生していない信号に対応したアンテナを選択するので、再送した信号の再度の誤りを低減できる。
【０００８】
取得部は、複数のアンテナのそれぞれに対応した信号の受信装置における信号強度も取得し、選択部は、情報から特定されるアンテナの数が所定のしきい値より小さければ、情報から特定されるアンテナ以外のアンテナのうち、信号強度の大きい信号に対応したアンテナを優先的に選択してもよい。この場合、誤りの発生した信号に対応したアンテナの数が少なければ、受信装置において信号強度が大きくなるようなアンテナを選択して、信号を再送するので、再送した信号の再度の誤りを低減できる。
【０００９】
送信部は、選択部において少なくともふたつのアンテナが選択された場合、選択された少なくともふたつのアンテナから、誤りの発生した信号を並列に再送してもよい。この場合、誤りの発生した信号を複数のアンテナから再送するので、再送した信号の再度の誤りを低減できる。
【００１０】
送信部では、情報から特定されるアンテナの数が、選択部において選択したアンテナの数よりも多い場合、選択部において選択したアンテナから、誤りの発生した信号を送信時間をずらしつつ再送してもよい。この場合、誤りの発生した信号に対応したアンテナの数が、再送に使用すべきアンテナの数よりも多くても、誤りの発生した信号を再送できる。
【００１１】
選択部は、情報から特定されるアンテナを選択し、送信部は、選択部において選択したアンテナから、誤りの発生した信号を再送する際に、選択部において選択したアンテナ以外のアンテナからの信号の送信を停止してもよい。この場合、選択したアンテナ以外のアンテナからの信号の送信を停止するので、選択したアンテナから再送される信号に対する干渉を低減できる。
【００１２】
本発明の別の態様は、受信装置である。この装置は、送信装置における複数のアンテナのそれぞれに対応した信号を受信する受信部と、受信部において受信した信号のうち、誤りの発生した信号が存在すれば、当該誤りの発生した信号に対応すべき送信装置のアンテナを特定する特定部と、特定部において特定したアンテナをもとに、複数のアンテナのうち、特定部において特定したアンテナに対応した信号を再送すべきアンテナを選択する選択部と、送信装置に対して、選択部において選択したアンテナからの再送であって、かつ誤りの発生した信号の再送を要求する要求部と、を備える。
【００１３】
この態様によると、誤りの発生した信号に対応したアンテナにもとづいて、信号を再送する際のアンテナを選択するので、受信装置において受信しやすくなるようなアンテナを選択でき、再送した信号の再度の誤りを低減できる。
【００１４】
本発明のさらに別の態様は、再送方法である。この方法は、送信装置の複数のアンテナから受信装置に、当該複数のアンテナのそれぞれに対応した信号を送信した後に、複数のアンテナのそれぞれに対応した信号のうち、受信装置において誤りが発生した信号が存在すれば、当該誤りが発生した信号に対応すべきアンテナをもとに、複数のアンテナのうち、誤りが発生した信号を再送すべきアンテナを選択する。
【００１５】
本発明のさらに別の態様もまた、再送方法である。この方法は、受信装置に対して、複数のアンテナから、当該複数のアンテナのそれぞれに対応した信号を送信するステップと、複数のアンテナのそれぞれに対応した信号のうち、受信装置において誤りの発生した信号が存在すれば、当該誤りの発生した信号に対応したアンテナに関する情報を取得するステップと、取得した情報をもとに、複数のアンテナのうち、情報から特定されるアンテナに対応した信号を再送すべきアンテナを選択するステップとを備える。送信するステップは、選択したアンテナから、誤りの発生した信号を再送する。
【００１６】
選択するステップは、複数のアンテナのうち、情報から特定されるアンテナ以外のアンテナを選択してもよい。取得するステップは、複数のアンテナのそれぞれに対応した信号の受信装置における信号強度も取得し、選択するステップは、情報から特定されるアンテナの数が所定のしきい値より小さければ、情報から特定されるアンテナ以外のアンテナのうち、信号強度の大きい信号に対応したアンテナを優先的に選択してもよい。送信するステップは、少なくともふたつのアンテナが選択された場合、選択された少なくともふたつのアンテナから、誤りの発生した信号を並列に再送してもよい。
【００１７】
送信するステップでは、情報から特定されるアンテナの数が、選択するステップにおいて選択したアンテナの数よりも多い場合、選択したアンテナから、誤りの発生した信号を送信時間をずらしつつ再送してもよい。選択するステップは、情報から特定されるアンテナを選択し、送信するステップは、選択ステップにおいて選択したアンテナから、誤りの発生した信号を再送する際に、選択するステップにおいて選択したアンテナ以外のアンテナからの信号の送信を停止してもよい。
【００１８】
本発明のさらに別の態様もまた、再送方法である。この方法は、送信装置における複数のアンテナのそれぞれに対応した信号を受信するステップと、受信した信号のうち、誤りの発生した信号が存在すれば、当該誤りの発生した信号に対応すべき送信装置のアンテナを特定するステップと、特定したアンテナをもとに、複数のアンテナのうち、特定したアンテナに対応した信号を再送すべきアンテナを選択するステップと、送信装置に対して、選択するステップにおいて選択したアンテナからの再送であって、かつ誤りの発生した信号の再送を要求するステップと、を備える。
【００１９】
選択するステップは、複数のアンテナのうち、特定するステップにおいて特定したアンテナ以外のアンテナを選択してもよい。複数のアンテナのそれぞれに対応した信号の信号強度を測定するステップをさらに備える。選択するステップは、特定するステップにおいて特定したアンテナの数が所定のしきい値より小さければ、特定するステップにおいて特定したアンテナ以外のアンテナのうち、信号強度の大きい信号に対応したアンテナを優先的に選択してもよい。
【００２０】
要求するステップは、選択するステップにおいて少なくともふたつのアンテナが選択された場合、選択された少なくともふたつのアンテナからの再送であって、かつ誤りの発生した信号の並列による再送を要求してもよい。選択するステップは、特定するステップにおいて特定したアンテナを選択し、要求するステップは、選択するステップにおいて選択したアンテナからの再送であって、かつ誤りの発生した信号の再送を要求する際に、選択するステップにおいて選択したアンテナ以外のアンテナからの信号の送信の停止も要求してもよい。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、複数のアンテナを使用して信号を伝送するシステムにおいて、再送した信号の再度の誤りを低減できる。
【発明を実施するための最良の形態】
【００２３】
（実施例１）
本発明を具体的に説明する前に、概要を述べる。本発明の実施例１は、ふたつの無線装置（以下、便宜上、「第１無線装置」と「第２無線装置」という）によって構成されるＭＩＭＯシステムに関する。ここでは、説明の便宜上、第１無線装置を送信側に対応させ、第２無線装置を受信側に対応させ、かつ受信側においてアダプティブアレイ信号処理を実行する。第１無線装置は、複数のアンテナのそれぞれにデータを対応させながら、バースト信号を送信する。第２無線装置は、アダプティブアレイ信号処理を実行しながら、第１送信装置の複数のアンテナにそれぞれ対応したデータを復調する（以下、第１送信装置の複数のアンテナにそれぞれ対応したデータを「データ系列」という）。
【００２４】
本実施例におけるＭＩＭＯシステムでは、第１無線装置から第２無線装置に送信されたデータが再送される際に、第１無線装置は、再送するデータの再度の誤りを低減するために、以下のように、再送に使用すべきアンテナを選択する。第２無線装置は、複数のデータ系列のうち、少なくともひとつに誤りがあれば、当該データ系列の再送を第１無線装置に要求する（以下、再送を要求するための信号を「再送要求」という）。その際、第２無線装置は、複数のデータ系列にそれぞれ対応した信号強度も測定し、測定結果を再送要求に含める。第１無線装置は、再送要求を受けつけると、再送要求の内容を確認して、誤ったデータ系列に対応したアンテナを特定する。第１無線装置は、特定したアンテナ以外のアンテナを選択し、選択したアンテナから、誤ったデータ系列に対応した正しいデータ系列を再送する。
【００２５】
また、第１無線装置は、誤ったデータ系列に対応したアンテナの数が所定のしきい値よりも小さければ、アンテナを選択する際に、再送要求に含まれた信号強度を参照しつつ、信号強度の大きいデータ系列に対応したアンテナを優先する。なお、以下の説明においては、第１無線装置に備えられた複数のアンテナのうち、再送に使用すべきアンテナをどのように選択するかについて主として説明する。そのため、再送には、周知の技術、例えば、ＧＢＮ（Ｇｏ  Ｂａｃｋ  Ｎ）型ＡＲＱ（Ａｕｔｏｍａｔｉｃ  Ｒｅｐｅａｔ  Ｒｅｑｕｅｓｔ）、ＳＲ（Ｓｅｌｅｃｔｉｖｅ  Ｒｅｐｅａｔ）型ＡＲＱを使用すればよく、説明を省略する。
【００２６】
図１は、本発明の実施例１に係る通信システム１００の構成を示す。通信システム１００は、無線装置１０と総称される第１無線装置１０ａ、第２無線装置１０ｂを含む。また、第１無線装置１０ａは、アンテナ１２と総称される第１アンテナ１２ａ、第２アンテナ１２ｂ、第３アンテナ１２ｃ、第４アンテナ１２ｄを含み、第２無線装置１０ｂは、アンテナ１４と総称される第１アンテナ１４ａ、第２アンテナ１４ｂ、第３アンテナ１４ｃ、第４アンテナ１４ｄを含む。前述のごとく、第１無線装置１０ａが送信側に対応し、第２無線装置１０ｂが受信側に対応する。そのため、データは、第１無線装置１０ａから第２無線装置１０ｂに送信されているものとする。
【００２７】
通信システム１００の構成を説明する前に、ＭＩＭＯシステムの概略を説明する。第１無線装置１０ａは、第１アンテナ１２ａから第４アンテナ１２ｄのそれぞれから、異なったデータを送信する。その結果、データレートが高速になる。第２無線装置１０ｂは、第１アンテナ１４ａから第４アンテナ１４ｄによって、データを受信する。さらに、第２無線装置１０ｂは、アダプティブアレイ信号処理によって、受信したデータを分離して、第１アンテナ１２ａから第４アンテナ１２ｄのそれぞれにおいて送信されたデータを独立して復調する。
【００２８】
ここで、アンテナ１２の本数は「４」であり、アンテナ１４の本数も「４」であるので、アンテナ１２とアンテナ１４の間の伝送路の組合せは「１６」になる。第ｉアンテナ１２ｉから第ｊアンテナ１４ｊとの間の伝送路特性をｈｉｊと示す。図中において、第１アンテナ１２ａと第１アンテナ１４ａとの間の伝送路特性がｈ１１、第１アンテナ１２ａから第２アンテナ１４ｂとの間の伝送路特性がｈ１２、第２アンテナ１２ｂと第１アンテナ１４ａとの間の伝送路特性がｈ２１、第２アンテナ１２ｂから第２アンテナ１４ｂとの間の伝送路特性がｈ２２、第４アンテナ１２ｄから第４アンテナ１４ｄとの間の伝送路特性がｈ４４と示されている。なお、これら以外の伝送路は、図の明瞭化のために省略する。第２無線装置１０ｂは、前述のごとくアダプティブアレイ信号処理をすることによって、以上のような伝送路を分離する。
【００２９】
第１無線装置１０ａは、第１アンテナ１２ａから第４アンテナ１２ｄにおいて、それぞれ異なったデータをバースト信号に含ませながら送信する。また、第２無線装置１０ｂから再送要求を受けつけたときに、第１無線装置１０ａは、再送要求に含まれたデータ系列であって、かつ第２無線装置１０ｂにおいて誤りとなったデータ系列に対応したアンテナ１２を特定する。さらに、第１無線装置１０ａは、後述する基準に従って、当該データ系列を再送する際のアンテナ１２を選択する。その後、第１無線装置１０ａは、選択したアンテナ１２から、対象となるデータ系列を再送する。例えば、基準が、誤ったデータ系列に対応したアンテナ１２以外のアンテナ１２を選択するというものである場合、誤ったデータ系列に対応したアンテナ１２が「第１アンテナ１２ａ」であれば、第１無線装置１０ａは、「第２アンテナ１２ｂ」を選択する。
【００３０】
第２無線装置１０ｂは、第１アンテナ１４ａから第４アンテナ１４ｄに対して、アダプティブアレイ信号処理を実行して、第１無線装置１０ａからのデータを受信する。また、受信した複数のデータ系列に誤りがあれば、第２無線装置１０ｂは、誤ったデータ系列の再送を第１無線装置１０ａに要求する。前述のごとく、当該要求に使用される信号が、「再送要求」である。また、第２無線装置１０ｂは、複数のデータ系列のそれぞれに対応した信号強度を測定する。さらに、第２無線装置１０ｂは、測定した信号強度を再送要求に含める。なお、第１無線装置１０ａと第２無線装置１０ｂの動作が、反対になってもよい。
【００３１】
図２は、通信システム１００でのバーストフォーマットの構成を示す。図２は、４段に分かれて示されているが、上段から下段に向かって、第１アンテナ１２ａ、第２アンテナ１２ｂ、第３アンテナ１２ｃ、第４アンテナ１２ｄから送信される信号に対応する。このバーストフォーマットには、先頭から、「Ｌｅｇａｃｙ  ＳＴＳ（Ｓｈｏｒｔ  Ｔｒａｉｎｉｎｇ  Ｓｅｑｕｅｎｃｅ）」、「Ｌｅｇａｃｙ  ＬＴＳ（Ｌｏｎｇ  Ｔｒａｉｎｉｎｇ  Ｓｅｑｕｅｎｃｅ）」、「Ｌｅｇａｃｙ  シグナル」が配置される。また、これらに続いて、「ＭＩＭＯシグナル」が配置される。以上の信号は、第１アンテナ１２ａから送信される。
【００３２】
ここで、「Ｌｅｇａｃｙ  ＳＴＳ」、「Ｌｅｇａｃｙ  ＬＴＳ」、「Ｌｅｇａｃｙ  シグナル」は、通信システム１００と同一の周波数帯を使用すべき通信システムであって、ＭＩＭＯシステムに対応していない通信システム（以下、「既存システム」という）に対応する。例えば、ＭＩＭＯシステムがＩＥＥＥ８０２．１１ｎ規格での無線ＬＡＮ（Ｌｏｃａｌ  Ａｒｅａ  Ｎｅｔｗｏｒｋ）であれば、既存システムは、ＩＥＥＥ８０２．１１ａ規格での無線ＬＡＮに相当する。「Ｌｅｇａｃｙ  ＳＴＳ」は、タイミング同期およびＡＧＣ（Ａｕｔｏｍａｔｉｃ  Ｇａｉｎ  Ｃｏｎｔｒｏｌ）等に使用され、「Ｌｅｇａｃｙ  ＬＴＳ」は、伝送路推定に使用され、「Ｌｅｇａｃｙ  シグナル」は、制御情報を含む。また、「ＭＩＭＯシグナル」以降は、ＭＩＭＯシステムに特有の信号であり、「ＭＩＭＯシグナル」は、ＭＩＭＯシステムに対応した制御情報を含む。
【００３３】
以上の信号に続いて、第１アンテナ１２ａに対応するように、「第１ＭＩＭＯ−ＳＴＳ」、「第１ＭＩＭＯ−ＬＴＳ」、「第１データ」が配置される。また、第２アンテナ１２ｂから第４アンテナ１２ｄに対しても、同様の信号が配置される。「第１ＭＩＭＯ−ＳＴＳ」から「第４ＭＩＭＯ−ＳＴＳ」は、タイミング同期およびＡＧＣ等に使用され、「第１ＭＩＭＯ−ＬＴＳ」から「第４ＭＩＭＯ−ＬＴＳ」は、伝送路推定に使用され、「第１データ」から「第４データ」は、ＭＩＭＯシステムおいて伝送されるべきデータである。ここで、「第１ＭＩＭＯ−ＳＴＳ」から「第４ＭＩＭＯ−ＳＴＳ」は、互いの干渉が小さくなるようなパターンによって構成されている。「第１ＭＩＭＯ−ＬＴＳ」から「第４ＭＩＭＯ−ＬＴＳ」も同様である。ここでは、これらの構成の説明を省略する。
【００３４】
ここで、通信システム１００は、ＩＥＥＥ８０２．１１ａ規格と同様に、ＯＦＤＭ変調方式を適用する。ＯＦＤＭ変調方式では、一般にフーリエ変換のサイズとガードインターバルのシンボル数との合計をひとつの単位として規定する。本実施例では、このひとつの単位を「ＯＦＤＭシンボル」とよぶ。なお、ＩＥＥＥ８０２．１１規格では、フーリエ変換のサイズが６４（以下、ひとつのＦＦＴ（Ｆａｓｔ  Ｆｏｕｒｉｅｒ  Ｔｒａｎｓｆｏｒｍ）のポイントを「ＦＦＴポイント」と呼ぶ）、ガードインターバルのＦＦＴポイント数が１６であるため、ＯＦＤＭシンボルは８０ＦＦＴポイントに相当する。
【００３５】
図３は、第１無線装置１０ａの構成を示す。第１無線装置１０ａは、無線部２０と総称される第１無線部２０ａ、第２無線部２０ｂ、第４無線部２０ｄ、処理部２２と総称される第１処理部２２ａ、第２処理部２２ｂ、第４処理部２２ｄ、変復調部２４と総称される第１変復調部２４ａ、第２変復調部２４ｂ、第４変復調部２４ｄ、ＩＦ部２６、制御部３０、記憶部６２、特定部６４、測定部６６を含む。また信号として、時間領域信号２００と総称される第１時間領域信号２００ａ、第２時間領域信号２００ｂ、第４時間領域信号２００ｄ、周波数領域信号２０２と総称される第１周波数領域信号２０２ａ、第２周波数領域信号２０２ｂ、第４周波数領域信号２０２ｄを含む。なお、第２無線装置１０ｂも同様の構成を有する。
【００３６】
第１無線装置１０ａは、一般的な通信機能に加えて再送機能を有するが、説明の便宜上、これらを分けて説明する。一般的に、再送機能は、送信側の処理と受信側の処理によって構成されている。前者は、図１の第１無線装置１０ａの動作に対応するが、後者は、図１の第２無線装置１０ｂの動作に対応する。
【００３７】
まず、通信機能における送信機能を説明する。ＩＦ部２６は、ひとつのデータ系列を入力し、これを分離し、複数のデータ系列を生成する。ここで、生成された複数のデータ系列は、前述のアンテナ１２のそれぞれに対応したデータ系列に相当する。さらに、ＩＦ部２６は、複数のデータ系列を複数の変復調部２４にそれぞれ出力する。なお、データ系列は、第１無線装置１０ａの内部の処理によって、その形式を変えていくが、ここでは、データの形式に関係なく、アンテナ１２のそれぞれに対応したデータを総称して、データ系列という。記憶部６２は、ＩＦ部２６から出力される複数のデータ系列を記憶する。
【００３８】
変復調部２４は、データ系列に対して、符号化および変調を実行する。変復調部２４は、変調した信号を周波数領域信号２０２として処理部２２に出力する。なお、変調方式には、ＢＰＳＫ（Ｂｉｎａｒｙ  Ｐｈａｓｅ  Ｓｈｉｆｔ  Ｋｅｙｉｎｇ）、ＱＳＰＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用されるが、これらは、制御部３０によって指定されるものとする。なお、周波数領域信号２０２は、ベースバンドの信号である。一般的に、ベースバンドの信号は、同相成分と直交成分によって形成されるので、ふたつの信号線によって伝送されるべきであるが、ここでは、図を明瞭にするためにひとつの信号線だけを示すものとする。
【００３９】
処理部２２は、変復調部２４から、周波数領域の信号としての周波数領域信号２０２を入力し、周波数領域信号２０２を時間領域に変換し、時間領域信号２００として出力する。なお、周波数領域信号２０２から時間領域信号２００の変換には、ＩＦＦＴが使用される。ここで、周波数領域の信号である周波数領域信号２０２は、複数のサブキャリアの成分を含むものとする。図を明瞭にするために、周波数領域の信号は、サブキャリア番号の順に並べられて、シリアル信号を形成しているものとする。
【００４０】
図４は、周波数領域の信号の構成を示す。ＯＦＤＭ変調方式における複数のキャリアのひとつをサブキャリアと一般的に呼ぶが、ここではひとつのサブキャリアを「サブキャリア番号」によって指定するものとする。ここでは、ＩＥＥＥ８０２．１１ａ規格と同様に、サブキャリア番号「−２６」から「２６」までの５３サブキャリアが規定されている。なお、サブキャリア番号「０」は、ベースバンド信号における直流成分の影響を低減するため、ヌルに設定されている。ここで、サブキャリア番号「−２６」から「２６」のひとつの組合せが、前述の「ＯＦＤＭシンボル」に相当する。「ｉ」番目のＯＦＤＭシンボルは、サブキャリア番号「１」から「２６」、サブキャリア番号「−２６」から「−１」の順にサブキャリア成分を並べているものとする。また、「ｉ」番目のＯＦＤＭシンボルの前に、「ｉ−１」番目のＯＭＤＭシンボルが配置され、「ｉ」番目のＯＦＤＭシンボルの後ろに、「ｉ＋１」番目のＯＭＤＭシンボルが配置されているものとする。
【００４１】
図３に戻る。無線部２０は、処理部２２からのベースバンドの信号を周波数変換し、無線周波数の信号を導出する。ここで、処理部２２からのベースバンドの信号が時間領域信号２００に相当する。無線部２０は、無線周波数の信号をアンテナ１２に出力する。また、ＰＡ（Ｐｏｗｅｒ  Ａｍｐｌｉｆｉｅｒ）、Ｄ／Ａ変換部も含まれる。さらに、無線部２０において処理される信号は、バースト信号を形成しており、そのバーストフォーマットは、図２に示した通りである。
【００４２】
次に、通信機能における受信機能を説明する。無線部２０は、アンテナ１２において受信した無線周波数の信号を周波数変換し、ベースバンドの信号を導出する。無線部２０は、ベースバンドの信号を時間領域信号２００として処理部２２に出力する。また、ＡＧＣやＡ／Ｄ変換部も含まれる。処理部２２は、複数の時間領域信号２００をそれぞれ周波数領域に変換し、周波数領域の信号に対してアダプティブアレイ信号処理を実行する。処理部２２は、アダプティブアレイ信号処理の結果を周波数領域信号２０２として出力する。
【００４３】
変復調部２４は、処理部２２からの周波数領域信号２０２に対して、復調および復号を実行する。なお、復調および復号は、サブキャリア単位でなされる。変復調部２４は、復号した信号をＩＦ部２６に出力する。また、変復調部２４は、復調及び復号した信号に対して、誤り検出を実行する。誤り検出は、複数のデータ系列のそれぞれに対して実行される。また、誤り検出には、バースト信号において、「第１データ」から「第４データ」のそれぞれに対して付加されたＣＲＣ（Ｃｙｃｌｉｃ  Ｒｅｄｕｎｄａｎｃｙ  Ｃｈｅｃｋ）コードが使用される。なお、図２において、ＣＲＣコードは省略されている。また、ＣＲＣコードを使用した誤り検出は、周知の技術であるので、説明を省略する。ＩＦ部２６は、複数の変復調部２４からの信号を合成し、ひとつのデータストリームを形成する。ＩＦ部２６は、データストリームを出力する。
【００４４】
以上、説明した構成にもとづく、再送機能を説明する。前述のごとく、ＩＦ部２６、変復調部２４、処理部２２、無線部２０は、図示しない第２無線装置１０ｂに対して、複数のアンテナ１２から、データ系列をそれぞれ送信する。複数のデータ系列のうち、第２無線装置１０ｂにおいて誤りの発生したデータ系列が存在すれば、制御部３０は、第２無線装置１０ｂから、当該誤りの発生したデータ系列に対応したアンテナ１２に関する情報（以下、「情報」という）を取得する。すなわち、第２無線装置１０ｂでは、受信したデータ系列に誤りが存在すれば、当該データ系列を特定し、特定したデータ系列を含めた再送要求を生成する。
【００４５】
無線部２０、処理部２２、変復調部２４、ＩＦ部２６は、第２無線装置１０ｂからの再送要求を受信し、制御部３０は、記憶部６２に記憶されたデータ系列より、再送要求から特定されたデータ系列を抽出する。ここで、当該データ系列あるいは再送要求が、前述の情報に相当する。さらに、制御部３０は、再送要求に含められた信号強度であって、かつ複数のデータ系列のそれぞれに対応した第２無線装置１０ｂにおける信号強度も取得する。このために、後述のごとく、第２無線装置１０ｂは、複数のデータ系列のそれぞれに対応した信号強度を測定し、それらを再送要求に含める。
【００４６】
制御部３０は、取得した情報をもとに、複数のアンテナ１２のうち、情報から特定されるデータ系列を再送すべきアンテナ１２を選択する。すなわち、制御部３０は、誤ったデータ系列を再送すべきアンテナ１２を選択する。さらに、ＩＦ部２６、変復調部２４、処理部２２、無線部２０は、制御部３０において選択したアンテナ１２から、誤りが発生したデータ系列を再送する。以下、制御部３０におけるアンテナ１２の選択について、図５を参照しながら説明する。選択の方法には、複数の方法が含まれているが、それらの切りかえについては、第１無線装置１０ａの動作の説明と合わせて説明する。ここでは、基本的に、選択の方法を列挙する。
【００４７】
図５（ａ）−（ｆ）は、制御部３０による再送の制御の概要を示す。前述のごとく、図５（ａ）は、第１無線装置１０ａから第２無線装置１０ｂに、複数のデータ系列が送信される。なお、第１無線装置１０ａのアンテナ１２の数と第２無線装置１０ｂのアンテナ１４の数は、それぞれ「３」とする。図５（ａ）では、第１アンテナ１２ａから第２アンテナ１２ｂに対して、送信されるデータ系列「Ｄ１」から「Ｄ３」が、それぞれ割り当てられる。
【００４８】
再送について、制御部３０は、複数のアンテナ１２のうち、情報から特定されるアンテナ１２以外のアンテナ１２を選択する。このようなアンテナの選択は、図５（ｂ）に示される。情報から特定されるデータ系列、すなわち誤ったデータ系列が「Ｄ１」であり、その結果、情報から特定されるアンテナ１２は、第１アンテナ１２ａに相当する。制御部３０は、データ系列「Ｄ１」を再送するために、第１アンテナ１２ａ以外である第２アンテナ１２ｂを選択する。なお、このときに、第１アンテナ１２ａと第３アンテナ１２ｃから、別のデータ系列が送信されてもよい。さらに、このような選択方法は、以下のように拡張されてもよい。制御部３０は、情報から特定されるアンテナ１２の数が所定のしきい値より小さければ、情報から特定されるアンテナ１２以外のアンテナ１２のうち、信号強度の大きい信号に対応したアンテナ１２を優先的に選択する。この場合も図５（ｂ）に相当する。ここで、情報から特定されるデータ系列が、「Ｄ１」であるとする。しきい値を「２」とすれば、情報から特定されるアンテナ１２の数「１」は、しきい値より小さくなる。その際、制御部３０は、再送要求に含まれた信号強度を参照する。第２アンテナ１２ｂに対応した信号強度が、第３アンテナ１２ｃに対応した信号強度よりも大きければ、制御部３０は、再送すべきアンテナとして、第２アンテナ１２ｂを選択する。
【００４９】
また、別の方法として、制御部３０は、情報から特定されるアンテナ１２を選択する。その際、制御部３０は、ＩＦ部２６、変復調部２４、処理部２２、無線部２０に対して、選択したアンテナ１２から、誤りの発生したデータ系列を再送する際に、選択したアンテナ１２以外のアンテナ１２からの送信を停止するように指示する。このようなアンテナの選択は、図５（ｃ）に示される。情報から特定されるデータ系列、すなわち誤ったデータ系列が「Ｄ１」であり、その結果、情報から特定されるアンテナ１２は、第１アンテナ１２ａに相当する。制御部３０は、データ系列「Ｄ１」を再送するために、第１アンテナ１２ａを選択する。さらに、第２アンテナ１２ｂと第３アンテナ１２ｃでの送信が、停止される。
【００５０】
さらに、別の方法として、制御部３０は少なくともふたつのアンテナ１２を選択した場合、制御部３０は、ＩＦ部２６、変復調部２４、処理部２２、無線部２０に対して、選択した少なくともふたつのアンテナ１２から、誤りの発生したデータ系列を並列に再送するように指示する。このようなアンテナの選択は、図５（ｄ）に示される。情報から特定されるデータ系列、すなわち誤ったデータ系列が「Ｄ１」であり、その結果、情報から特定されるアンテナ１２は、第１アンテナ１２ａに相当する。また、選択した少なくともふたつのアンテナは、第１アンテナ１２ａから第３アンテナ１２ｃに相当する。制御部３０は、第１アンテナ１２ａから第３アンテナ１２ｃから、データ系列「Ｄ１」を並列に再送する。
【００５１】
さらに、図５（ｃ）の場合において、誤ったデータ系列が「Ｄ１」と「Ｄ２」であるときの動作を説明する。この場合、情報から特定されるアンテナ１２は、第１アンテナ１２ａと第２アンテナ１２ｂに相当する。制御部３０は、データ系列「Ｄ１」を再送するために、第１アンテナ１２ａを選択し、データ系列「Ｄ２」を再送するために、第２アンテナ１２ｂを選択する。さらに、第３アンテナ１２ｃでの送信は、停止される。
【００５２】
さらに、図５（ｂ）の場合において、誤ったデータ系列が「Ｄ１」と「Ｄ２」であるときの動作を説明する。この場合、制御部３０は、データ系列「Ｄ１」と「Ｄ２」を再送するために、第３アンテナ１２ｃを選択する。そのため、情報から特定されるアンテナ１２の数が、制御部３０において選択したアンテナ１２の数よりも多い場合といえる。制御部３０は、選択したアンテナ１２、すなわち第３アンテナ１２ｃから、データ系列「Ｄ１」と「Ｄ２」を送信時間をずらしつつ再送する。すなわち、データ系列「Ｄ１」が送信された後に、データ系列「Ｄ２」が送信される。
【００５３】
これまで説明した再送機能は、第１無線装置１０ａでの機能に相当する。一方、再送を実行するためには、前述のごとく、第１無線装置１０ａだけでなく、第２無線装置１０ｂも所定の動作を実行する必要がある。すなわち、第２無線装置１０ｂは、第１無線装置１０ａからのデータ中の誤りを検出し、第１無線装置１０ａにデータを送信する。ここでは、第２無線装置１０ｂの動作として説明するが、当該機能は、第１無線装置１０ａにも含まれる。また、図３を使用しながら説明するが、第２無線装置１０ｂの場合、アンテナ１２がアンテナ１４に変更される。
【００５４】
変復調部２４は、無線部２０、処理部２２において受信したデータ系列に誤りが含まれているかを調べる。誤りの検出は、前述のごとく、データ系列に含まれたＣＲＣコードにもとづいてなされる。特定部６４は、ＩＦ部２６に入力されたデータ系列のうち、誤りの発生したデータ系列が存在すれば、当該誤りの発生したデータ系列に対応すべきアンテナ１２を特定する。例えば、第１周波数領域信号２０２ａに誤りが存在すれば、特定部６４は、これに対応した第１アンテナ１２ａを特定する。
【００５５】
測定部６６は、アンテナ１２のそれぞれに対応した信号の信号強度を測定する。測定部６６は、信号強度を測定するために、受信応答ベクトルを使用してもよい。また、測定部６６は、信号強度として、ＳＮＲ（Ｓｉｇｎａｌ  ｔｏ  Ｎｏｉｓｅ  Ｒａｔｉｏ）を測定してもよい。制御部３０は、第１無線装置１０ａに対して、特定部６４において特定したアンテナ１２に関する情報を含んだ再送要求を生成する。また、制御部３０は、測定部６６での測定結果を再送要求に含ませてもよい。制御部３０は、変復調部２４、処理部２２、処理部２２に対して、再送要求を送信するように指示する。
【００５６】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５７】
図６は、第１処理部２２ａの構成を示す。第１処理部２２ａは、ＦＦＴ（Ｆａｓｔ  Ｆｏｕｒｉｅｒ  Ｔｒａｎｓｆｏｒｍ）部４０、合成部４２、参照信号生成部４４、受信ウエイトベクトル計算部５４、ＩＦＦＴ部４８、プリアンブル付加部５０を含む。また、合成部４２は、乗算部５６と総称される第１乗算部５６ａ、第２乗算部５６ｂ、第４乗算部５６ｄ、加算部６０を含む。
【００５８】
ＦＦＴ部４０は、複数の時間領域信号２００を入力し、それぞれに対してフーリエ変換を実行して、周波数領域の信号を導出する。前述のごとく、ひとつの周波数領域の信号では、サブキャリア番号の順に、サブキャリアに対応した信号がシリアルに並べられている。
【００５９】
乗算部５６は、受信ウエイトベクトル計算部５４からの受信ウエイトベクトルによって、周波数領域の信号を重み付けし、加算部６０は乗算部５６の出力を加算する。ここで、周波数領域の信号は、サブキャリア番号の順に配置されているので、受信ウエイトベクトル計算部５４からの受信ウエイトベクトルもそれに対応するように配置されている。すなわち、ひとつの乗算部５６は、サブキャリア番号の順に配置された受信ウエイトベクトルを逐次入力する。そのため、加算部６０は、サブキャリア単位で、乗算結果を加算する。その結果、加算された信号も、図４のごとく、サブキャリア番号の順にシリアルに並べられている。また、加算された信号が、前述の周波数領域信号２０２である。
【００６０】
なお、以下の説明においても、処理対象の信号が周波数領域に対応している場合、処理は、基本的にサブキャリアを単位にして実行される。ここでは、説明を簡潔にするために、ひとつのサブキャリアにおける処理を説明する。そのため、複数のサブキャリアに対する処理には、ひとつのサブキャリアにおける処理をパラレルあるいはシリアルに実行することによって、対応される。
【００６１】
参照信号生成部４４は、「Ｌｅｇａｃｙ  ＳＴＳ」、「Ｌｅｇａｃｙ  ＬＴＳ」、「第１ＭＩＭＯ−ＳＴＳ」、「第１ＭＩＭＯ−ＬＴＳ」期間中は予め記憶した「Ｌｅｇａｃｙ  ＳＴＳ」、「Ｌｅｇａｃｙ  ＬＴＳ」、「第１ＭＩＭＯ−ＳＴＳ」、「第１ＭＩＭＯ−ＬＴＳ」を参照信号として出力する。またこれらの期間以外は、予め規定しているしきい値によって、周波数領域信号２０２を判定し、その結果を参照信号として出力する。なお、判定は硬判定でなく、軟判定でもよい。
【００６２】
受信ウエイトベクトル計算部５４は、ＦＦＴ部４０からの周波数領域の信号、周波数領域信号２０２、参照信号にもとづいて、受信ウエイトベクトルを導出する。受信ウエイトベクトルの導出方法は、任意のものでよく、そのひとつはＬＭＳ（Ｌｅａｓｔ  Ｍｅａｎ  Ｓｑｕｅａｒｅ）アルゴリズムによる導出である。また、受信ウエイトベクトルは、相関処理によって導出されてもよい。その際、周波数領域の信号と参照信号は、第１処理部２２ａからだけではなく、図示しない信号線によって、第２処理部２２ｂ等からも入力されるものとする。第１処理部２２ａにおける周波数領域の信号をｘ１（ｔ）、第２処理部２２ｂにおける周波数領域の信号をｘ２（ｔ）と示し、第１処理部２２ａにおける参照信号をＳ１（ｔ）、第２処理部２２ｂにおける参照信号をＳ２（ｔ）と示せば、ｘ１（ｔ）とｘ２（ｔ）は、次の式のように示される。
【００６３】
【数１】
2006165970.tif 000003
ここで、雑音は無視する。第１の相関行列Ｒ１は、Ｅをアンサンブル平均として、次の式のように示される。
【数２】
2006165970.tif 000004
参照信号間の第２の相関行列Ｒ２は、次の式のように計算される。
【００６４】
【数３】
2006165970.tif 000005
最終的に、第２の相関行列Ｒ２の逆行列と第１の相関行列Ｒ１を乗算することによって、受信応答ベクトルが導出される。
【数４】
2006165970.tif 000006
さらに、受信ウエイトベクトル計算部５４は、受信応答ベクトルから受信ウエイトベクトルを計算する。
【００６５】
ＩＦＦＴ部４８は、第１周波数領域信号２０２ａに対して逆フーリエ変換を実行して、時間領域の信号に変換する。プリアンブル付加部５０は、図２のごとく、バースト信号の先頭部分に、プリアンブルを付加する。ここでは、「Ｌｅｇａｃｙ  ＳＴＳ」、「Ｌｅｇａｃｙ  ＬＴＳ」、「第１ＭＩＭＯ−ＳＴＳ」、「第１ＭＩＭＯ−ＬＴＳ」を付加する。プリアンブル付加部５０は、プリアンブルを付加した信号を時間領域信号２００として出力する。なお、以上の動作は、図３の制御部３０によって制御されるものとする。図６において、第１時間領域信号２００ａ等は、２カ所に示されている。これらは、ひとつの方向の信号であり、これらが、図３における双方向の信号である第１時間領域信号２００ａ等に対応する。
【００６６】
以上の構成による通信システム１００の動作を説明する。図７は、通信システム１００による再送手順を示すシーケンス図である。第１無線装置１０ａは、送信すべきデータ系列を記憶部６２に記憶する（Ｓ１０）。第１無線装置１０ａは、データ系列を含んだバースト信号を送信する（Ｓ１２）。第２無線装置１０ｂは、バースト信号を受信し、アンテナ１２を特定しつつ誤り検出を実行する（Ｓ１４）。また、第２無線装置１０ｂは、信号強度を測定する（Ｓ１６）。誤りが検出されれば、第２無線装置１０ｂは、再送要求を送信する（Ｓ１８）。再送要求には、誤ったデータ系列に対応したアンテナ１２の識別番号と、測定した信号強度が含まれる。第１無線装置１０ａは、再送要求を受けつけると、再送すべきデータを特定し（Ｓ２０）、記憶部６２から再送すべきデータを抽出する（Ｓ２２）。また、第１無線装置１０ａは、再送に使用すべきアンテナ１２を選択する（Ｓ２４）。第１無線装置１０ａは、選択したアンテナ１２から、バースト信号を再送する（Ｓ２６）。第２無線装置１０ｂは、再送されたデータを受信する（Ｓ２８）。
【００６７】
図８は、第１無線装置１０ａによる再送手順を示すフローチャートである。記憶部６２は、送信すべきデータを記憶する（Ｓ４０）。変復調部２４、処理部２２、無線部２０は、データを含んだバースト信号を第２無線装置１０ｂへ送信する（Ｓ４２）。その際、アンテナ１２のそれぞれに対応させたデータが送信される。制御部３０は、無線部２０、処理部２２、変復調部２４を介して、第２無線装置１０ｂから再送要求を受け付ければ（Ｓ４４のＹ）、再送すべきデータを特定する（Ｓ４６）。また、制御部３０は、記憶部６２から再送すべきデータを抽出する（Ｓ４８）。ここで、再送すべきデータに対応したアンテナ数がしきい値より小さければ（Ｓ５０のＹ）、制御部３０は、再送要求に含まれた信号強度を取得する（Ｓ５２）。制御部３０は、信号強度を参照しつつ、誤りのないアンテナ１２から再送に使用すべきアンテナ１２を選択する（Ｓ５４）。一方、再送すべきデータに対応したアンテナ数がしきい値より小さくなければ（Ｓ５０のＮ）、制御部３０は、誤りのないアンテナ１２から再送に使用すべきアンテナ１２を選択する（Ｓ５６）。選択されたアンテナ１２に対応した無線部２０、処理部２２、変復調部２４は、バースト信号を再送する（Ｓ５８）。制御部３０は、無線部２０、処理部２２、変復調部２４を介して、第２無線装置１０ｂから再送要求を受け付けなければ（Ｓ４４のＮ）、再送の処理を実行しない。
【００６８】
図９は、第２無線装置１０ｂによる再送手順を示すフローチャートである。無線部２０、処理部２２、変復調部２４、ＩＦ部２６は、第１無線装置１０ａからのバースト信号を受信する（Ｓ７０）。変復調部２４が、受信したバースト信号の中に誤りを検出すれば（Ｓ７２のＹ）、特定部６４は、誤ったデータに対応した第１無線装置１０ａのアンテナ１２を特定する（Ｓ７４）。また、測定部６６は、アンテナ１２のそれぞれに対応した信号の強度を測定する（Ｓ７６）。制御部３０は、特定したアンテナ１２に関する情報、および測定した信号強度を含ませながら、再送要求を生成する。変復調部２４、処理部２２、無線部２０は、再送要求を送信する（Ｓ７８）。一方、変復調部２４が、受信したバースト信号の中に誤りを検出しなければ（Ｓ７２のＮ）、新たなバースト信号の受信を実行する。
【００６９】
図１０は、第１無線装置１０ａによる別の再送手順を示すフローチャートである。図１０における再送手順は、図８における再送手順よりも、再送方法の選択肢が多くなっている。記憶部６２は、送信すべきデータを記憶する（Ｓ９０）。変復調部２４、処理部２２、無線部２０は、データを含んだバースト信号を第２無線装置１０ｂへ送信する（Ｓ９２）。その際、アンテナ１２のそれぞれに対応させたデータが送信される。制御部３０は、無線部２０、処理部２２、変復調部２４を介して、第２無線装置１０ｂから再送要求を受け付ければ（Ｓ９４のＹ）、再送すべきデータを特定する（Ｓ９６）。また、制御部３０は、記憶部６２から再送すべきデータを抽出する（Ｓ９８）。
【００７０】
ここで、再送すべきデータに対応したアンテナ数がしきい値より小さければ（Ｓ１００のＹ）、制御部３０では、複数のアンテナ１２からの並列の送信が規定されているかを確認する。並列の送信が規定されていれば（Ｓ１０２のＹ）、制御部３０は、複数のアンテナ１２を選択する（Ｓ１０４）。一方、並列の送信が規定されていなければ（Ｓ１０２のＮ）、制御部３０では、誤ったデータ系列に対応したアンテナ１２での送信が規定されているかを確認する。誤ったデータ系列に対応したアンテナ１２での送信が規定されていれば（Ｓ１０６のＹ）、制御部３０は、誤ったデータ系列に対応したアンテナ１２を選択する（Ｓ１０８）。
【００７１】
その際、制御部３０は、誤ったデータ系列に対応したアンテナ１２以外のアンテナ１２での送信の停止も決定する。誤ったデータ系列に対応したアンテナ１２での送信が規定されていなければ（Ｓ１０６のＮ）、制御部３０は、再送要求に含まれた信号強度を取得する（Ｓ１１０）。制御部３０は、信号強度を参照しつつ、誤りのないアンテナ１２から再送に使用すべきアンテナ１２を選択する（Ｓ１１２）。
【００７２】
一方、再送すべきデータに対応したアンテナ数がしきい値より小さくなければ（Ｓ１００のＮ）、制御部３０では、誤ったデータ系列に対応したアンテナ１２での送信が規定されているかを確認する。誤ったデータ系列に対応したアンテナ１２での送信が規定されていれば（Ｓ１１４のＹ）、制御部３０は、誤ったデータ系列に対応したアンテナ１２を選択する（Ｓ１１６）。その際、制御部３０は、誤ったデータ系列に対応したアンテナ１２以外のアンテナ１２での送信の停止も決定する。誤ったデータ系列に対応したアンテナ１２での送信が規定されていなければ（Ｓ１１４のＮ）、制御部３０は、誤りのないアンテナ１２から再送に使用すべきアンテナ１２を選択する（Ｓ１１８）。選択されたアンテナ１２に対応した無線部２０、処理部２２、変復調部２４は、バースト信号を再送する（Ｓ１２０）。
【００７３】
本発明の実施例によれば、通信対象の無線装置から、再送要求を取得し、当該再送要求にもとづいて、信号を再送する際のアンテナを選択するので、通信対象の受信装置によって受信されやすくなるようなアンテナを選択できる。また、通信対象の無線装置によって受信されやすくなるようなアンテナを選択できるので、再送した信号の再度の誤りを低減できる。また、再送した信号の再度の誤りを低減できるので、伝送効率を改善できる。また、再送のために、誤りの発生していない信号に対応したアンテナを選択するので、再送した信号の再度の誤りを低減できる。また、誤りの発生した信号に対応したアンテナの数が少なければ、通信対象の無線装置において信号強度が大きくなるようなアンテナを選択して、信号を再送するので、再送した信号の再度の誤りを低減できる。また、誤りの発生した信号に対応したアンテナの数に応じて、再送の際のアンテナの選択基準を変更するので、誤りの状況に応じたアンテナの選択を実行できる。
【００７４】
また、誤りの発生した信号を複数のアンテナから再送するので、これらの信号が合成され、通信対象の無線装置での信号強度を増加できる。また、誤りの発生した信号を複数のアンテナから再送するので、再送した信号の再度の誤りを低減できる。また、誤りの発生した信号に対応したアンテナの数が、再送に使用すべきアンテナの数よりも多くても、誤りの発生した信号を再送できる。また、選択したアンテナ以外のアンテナからの信号の送信を停止するので、選択したアンテナから再送される信号に対する干渉を低減できる。また、選択したアンテナから再送される信号に対する干渉を低減できるので、再送した信号の再度の誤りを低減できる。
【００７５】
（実施例２）
本発明の実施例２は、実施例１と同様にＭＩＭＯシステムにおける再送処理に関する。第１無線装置が第２無線装置にデータを送信し、当該データが第２無線装置において誤っていた場合、第１無線装置は、当該データを再送する。実施例１に係る第１無線装置は、データを再送する際に、再送に使用すべきアンテナを選択する。しかしながら、実施例２においては、第２無線装置が、再送に使用すべき第１無線装置におけるアンテナを選択する。さらに、第１無線装置は、第２無線装置において選択されたアンテナから、データを再送する。
【００７６】
実施例２に係る第１無線装置１０ａの構成は、図３に示された第１無線装置１０ａと同一のタイプである。また、実施例２に係る第２無線装置１０ｂの構成も同様である。ここでは、第１無線装置１０ａが第２無線装置１０ｂにデータを送信する場合を対象とするので、第２無線装置１０ｂの構成を説明する。その際、前述のごとく、図３のアンテナ１２が、アンテナ１４になる。
【００７７】
アンテナ１４、無線部２０、処理部２２、変復調部２４、ＩＦ部２６は、第１無線装置１０ａにおける複数のアンテナ１２のそれぞれに対応したデータ系列を受信する。その際、処理部２２は、アダプティブアレイ信号処理を実行するが、それに関しては、実施例１と同一であるので、説明を省略する。測定部６６は、複数のアンテナのそれぞれに対応した信号の信号強度を測定する。測定部６６の詳細は、実施例１と同一であるので、説明を省略する。特定部６４は、ＩＦ部２６に入力されたデータ系列のうち、誤りの発生したデータ系列が存在すれば、当該誤りの発生したデータ系列に対応すべきアンテナ１２を特定する。特定部６４の詳細は、実施例１と同一であるので、説明を省略する。
【００７８】
制御部３０は、特定部６４において特定したアンテナ１２をもとに、複数のアンテナ１２のうち、特定部６４において特定したアンテナ１２に対応した信号を再送すべきアンテナ１２を選択する。例えば、制御部３０は、複数のアンテナ１２のうち、特定部６４において特定したアンテナ１２以外のアンテナを選択する。さらに、制御部３０は、第１無線装置１０ａに対して、選択したアンテナ１２からの再送であって、かつ特定部６４において特定したアンテナ１２に対応したデータ系列の再送を要求する。すなわち、制御部３０からの指示に従って、変復調部２４、処理部２２、無線部２０は、第１無線装置１０ａに対して再送要求を送信する。
【００７９】
また、制御部３０におけるアンテナ１２の選択は、実施例１に対応して、以下のようになされてもよい。制御部３０は、特定部６４において特定したアンテナ１２の数が所定のしきい値より小さければ、特定部６４において特定したアンテナ１２以外のアンテナ１２のうち、信号強度の大きい信号に対応したアンテナ１２を優先的に選択する。また、制御部３０は、少なくともふたつのアンテナ１２を選択する場合、選択した少なくともふたつのアンテナ１２からの再送であって、かつ特定部６４において特定したアンテナ１２に対応した信号の並列による再送を要求する。さらに、制御部３０は、特定部６４において特定したアンテナ１２を選択する。これに続いて、制御部３０は、選択したアンテナ１２からの再送であって、かつ特定部６４において特定したアンテナ１２に対応した信号の再送を要求する際に、選択したアンテナ１２以外のアンテナ１２からのデータの送信の停止も要求する。以上のような第２無線装置１０ｂの制御部３０は、実施例１における第１無線装置１０ａの制御部３０と同様の構成によって説明されてもよい。
【００８０】
以上の構成による通信システム１００の動作を説明する。図１１は、本発明の実施例２に係る通信システム１００による再送手順を示すシーケンス図である。第１無線装置１０ａは、送信すべきデータ系列を記憶部６２に記憶する（Ｓ１３０）。第１無線装置１０ａは、データ系列を含んだバースト信号を送信する（Ｓ１３２）。第２無線装置１０ｂは、バースト信号を受信し、アンテナ１２を特定しつつ誤り検出を実行する（Ｓ１３４）。また、第２無線装置１０ｂは、信号強度を測定する（Ｓ１３６）。誤りが検出されれば、第２無線装置１０ｂは、第１無線装置１０ａのアンテナ１２のうち、誤ったデータ系列を再送する際に使用すべきアンテナ１２を選択する（Ｓ１３８）。第２無線装置１０ｂは、再送要求を送信する（Ｓ１４０）。再送要求には、選択したアンテナ１２に関する情報が含まれる。第１無線装置１０ａは、再送要求を受けつけると、再送すべきデータを特定し（Ｓ１４２）、記憶部６２から再送すべきデータを抽出する（Ｓ１４４）。第１無線装置１０ａは、選択されたアンテナ１２から、バースト信号を再送する（Ｓ１４６）。第２無線装置１０ｂは、再送されたデータを受信する（Ｓ１４８）。
【００８１】
図１２は、第１無線装置１０ａによる再送手順を示すフローチャートである。記憶部６２は、送信すべきデータを記憶する（Ｓ１６０）。変復調部２４、処理部２２、無線部２０は、データを含んだバースト信号を第２無線装置１０ｂへ送信する（Ｓ１６２）。その際、アンテナ１２のそれぞれに対応させたデータが送信される。制御部３０は、無線部２０、処理部２２、変復調部２４を介して、第２無線装置１０ｂから再送要求を受け付ければ（Ｓ１６４のＹ）、再送すべきデータを特定する（Ｓ１６６）。また、制御部３０は、記憶部６２から再送すべきデータを抽出する（Ｓ１６８）。制御部３０は、再送要求から、選択すべきアンテナ１２の指定を取得する（Ｓ１７０）。制御部３０は、アンテナ１２の指定を参照しつつ、再送に使用すべきアンテナ１２を選択する（Ｓ１７２）。選択されたアンテナ１２に対応した無線部２０、処理部２２、変復調部２４は、バースト信号を再送する（Ｓ１７４）。制御部３０は、無線部２０、処理部２２、変復調部２４を介して、第２無線装置１０ｂから再送要求を受け付けなければ（Ｓ１６４のＮ）、再送の処理を実行しない。
【００８２】
図１３は、第２無線装置１０ｂによる再送手順を示すフローチャートである。無線部２０、処理部２２、変復調部２４、ＩＦ部２６は、第１無線装置１０ａからのバースト信号を受信する（Ｓ１８０）。変復調部２４が、受信したバースト信号の中に誤りを検出すれば（Ｓ１８２のＹ）、特定部６４は、誤ったデータに対応した第１無線装置１０ａのアンテナ１２を特定する（Ｓ１８４）。ここで、再送すべきデータに対応したアンテナ数がしきい値より小さければ（Ｓ１８６のＹ）、測定部６６は、アンテナ１２のそれぞれに対応した信号の強度を測定する（Ｓ１８８）。制御部３０は、信号強度を参照しつつ、誤りのないアンテナ１２から再送に使用すべきアンテナ１２を選択する（Ｓ１９０）。一方、再送すべきデータに対応したアンテナ数がしきい値より小さくなければ（Ｓ１８６のＮ）、制御部３０は、誤りのないアンテナ１２から再送に使用すべきアンテナ１２を選択する（Ｓ１９２）。制御部３０は、再送に使用すべきアンテナ１２に関する情報を含ませながら、再送要求を生成する。変復調部２４、処理部２２、無線部２０は、再送要求を送信する（Ｓ１９４）。一方、変復調部２４が、受信したバースト信号の中に誤りを検出しなければ（Ｓ１８２のＮ）、新たなバースト信号の受信を実行する。
【００８３】
図１４は、第２無線装置１０ｂによる別の再送手順を示すフローチャートである。図１４における再送手順は、図１３における再送手順よりも、再送方法の選択肢が多くなっている。無線部２０、処理部２２、変復調部２４、ＩＦ部２６は、第１無線装置１０ａからのバースト信号を受信する（Ｓ２００）。変復調部２４が、受信したバースト信号の中に誤りを検出すれば（Ｓ２０２のＹ）、特定部６４は、誤ったデータに対応した第１無線装置１０ａのアンテナ１２を特定する（Ｓ２０４）。ここで、再送すべきデータに対応したアンテナ数がしきい値より小さければ（Ｓ２０６のＹ）、制御部３０では、複数のアンテナ１２からの並列の送信が規定されているかを確認する。並列の送信が規定されていれば（Ｓ２０８のＹ）、制御部３０は、複数のアンテナ１２を選択する（Ｓ２１０）。
【００８４】
一方、並列の送信が規定されていなければ（Ｓ２０８のＮ）、制御部３０では、誤ったデータ系列に対応したアンテナ１２での送信が規定されているかを確認する。誤ったデータ系列に対応したアンテナ１２での送信が規定されていれば（Ｓ２１２のＹ）、制御部３０は、誤ったデータ系列に対応したアンテナ１２を選択する（Ｓ２１４）。その際、制御部３０は、誤ったデータ系列に対応したアンテナ１２以外のアンテナ１２での送信の停止も決定する。誤ったデータ系列に対応したアンテナ１２での送信が規定されていなければ（Ｓ２１２のＮ）、測定部６６は、アンテナ１２のそれぞれに対応した信号の強度を測定する（Ｓ２１６）。制御部３０は、信号強度を参照しつつ、誤りのないアンテナ１２から再送に使用すべきアンテナ１２を選択する（Ｓ２１８）。
【００８５】
一方、再送すべきデータに対応したアンテナ数がしきい値より小さくなければ（Ｓ２０６のＮ）、制御部３０では、誤ったデータ系列に対応したアンテナ１２での送信が規定されているかを確認する。誤ったデータ系列に対応したアンテナ１２での送信が規定されていれば（Ｓ２２０のＹ）、制御部３０は、誤ったデータ系列に対応したアンテナ１２を選択する（Ｓ２２２）。その際、制御部３０は、誤ったデータ系列に対応したアンテナ１２以外のアンテナ１２での送信の停止も決定する。誤ったデータ系列に対応したアンテナ１２での送信が規定されていなければ（Ｓ２２０のＮ）、制御部３０は、誤りのないアンテナ１２から再送に使用すべきアンテナ１２を選択する（Ｓ２２４）。制御部３０は、再送に使用すべきアンテナ１２に関する情報を含ませながら、再送要求を生成する。変復調部２４、処理部２２、無線部２０は、再送要求を送信する（Ｓ２２６）。一方、変復調部２４が、受信したバースト信号の中に誤りを検出しなければ（Ｓ２０２のＮ）、新たなバースト信号の受信を実行する。
【００８６】
本発明の実施例によれば、誤りの発生した信号に対応したアンテナにもとづいて、信号を再送する際のアンテナを選択するので、無線装置において受信しやすくなるようなアンテナを選択できる。また、無線装置において受信しやすくなるようなアンテナを選択できるので、再送した信号の再度の誤りを低減できる。また、受信側の無線装置において、アンテナの選択を行うので、受信側の状況に応じたアンテナを選択できる。また、送信側の無線装置に対して、選択したアンテナを通知するので、選択したアンテナの通知を確実にできる。また、再送した信号の再度の誤りを低減できるので、伝送効率を改善できる。また、再送のために、誤りの発生していない信号に対応したアンテナを選択するので、再送した信号の再度の誤りを低減できる。また、誤りの発生した信号に対応したアンテナの数が少なければ、信号強度が大きくなるようなアンテナを選択するので、再送した信号の再度の誤りを低減できる。また、誤りの発生した信号に対応したアンテナの数に応じて、再送の際のアンテナの選択基準を変更するので、誤りの状況に応じたアンテナの選択を実行できる。
【００８７】
また、誤りの発生した信号を複数のアンテナから再送を決定するので、これらの信号が合成され、信号強度を増加できる。また、誤りの発生した信号を複数のアンテナから再送するので、再送した信号の再度の誤りを低減できる。また、誤りの発生した信号に対応したアンテナの数が、再送に使用すべきアンテナの数よりも多くても、誤りの発生した信号を再送できる。また、選択したアンテナ以外のアンテナからの信号の送信を停止するので、選択したアンテナから再送される信号に対する干渉を低減できる。また、選択したアンテナから再送される信号に対する干渉を低減できるので、再送した信号の再度の誤りを低減できる。
【００８８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００８９】
本発明の実施例１と２において、受信ウエイトベクトル計算部５４は、受信ウエイトベクトルの推定のための適応アルゴリズムとして、ＬＭＳアルゴリズムを使用している。しかし、受信ウエイトベクトル計算部５４でＬＭＳアルゴリズム以外の適応アルゴリズムが使用されてもよい。例えば、ＲＬＳアルゴリズムである。本変形例によれば、受信ウエイトベクトルの引き込みがより高速になる。つまり、空間を分割するような受信ウエイトベクトルを導出できればよい。
【００９０】
本発明の実施例１または２において、通信システム１００は、マルチキャリア信号を伝送している。しかしながらこれに限らず例えば、通信システム１００は、シングルキャリア信号を伝送してもよい。本変形例によれば、様々な通信システム１００に本発明を適用できる。つまり、ＭＩＭＯシステムが実現されていればよい。
【図面の簡単な説明】
【００９１】
【図１】本発明の実施例１に係る通信システムの構成を示す図である。
【図２】図１の通信システムでのバーストフォーマットの構成を示す図である。
【図３】図１の第１無線装置の構成を示す図である。
【図４】図３における周波数領域の信号の構成を示す図である。
【図５】図５（ａ）−（ｆ）は、図３の制御部による再送の制御の概要を示す図である。
【図６】図３の第１処理部の構成を示す図である。
【図７】図１の通信システムによる再送手順を示すシーケンス図である。
【図８】図７の第１無線装置による再送手順を示すフローチャートである。
【図９】図７の第２無線装置による再送手順を示すフローチャートである。
【図１０】図７の第１無線装置による別の再送手順を示すフローチャートである。
【図１１】本発明の実施例２に係る通信システムによる再送手順を示すシーケンス図である。
【図１２】図１１の第１無線装置による再送手順を示すフローチャートである。
【図１３】図１１の第２無線装置による再送手順を示すフローチャートである。
【図１４】図１１の第２無線装置による別の再送手順を示すフローチャートである。
【符号の説明】
【００９２】
１０  無線装置、  １２  アンテナ、  １４  アンテナ、  ２０  無線部、  ２２  処理部、  ２４  変復調部、  ２６  ＩＦ部、  ３０  制御部、  ４０  ＦＦＴ部、  ４２  合成部、  ４４  参照信号生成部、  ４８  ＩＦＦＴ部、  ５０  プリアンブル付加部、  ５４  受信ウエイトベクトル計算部、  ５６  乗算部、  ６０  加算部、  ６２  記憶部、  ６４  特定部、  ６６  測定部、  １００  通信システム。
【図１】
2006165970.tif 000007
【図２】
2006165970.tif 000008
【図３】
2006165970.tif 000009
【図４】
2006165970.tif 000010
【図５】
2006165970.tif 000011
【図６】
2006165970.tif 000012
【図７】
2006165970.tif 000013
【図８】
2006165970.tif 000014
【図９】
2006165970.tif 000015
【図１０】
2006165970.tif 000016
【図１１】
2006165970.tif 000017
【図１２】
2006165970.tif 000018
【図１３】
2006165970.tif 000019
【図１４】
2006165970.tif 000020